(57)【要約】【課題】施療部位を引っかくような刺激を与えることができるツボ刺激器を提供すること、あるいは、頭部に使用した場合に、頭皮の血行を促進することによる脱毛の抑制や白髪の予防、育毛や発毛の促進を行うことができるツボ刺激器を提供する。【解決手段】駆動源２を内蔵する本体部４と、使用者に対して施療を行う施療部５、１７とを有しており、前記施療部５、７は、アーム１５、１９を有しており、前記アーム１５、１９の先端部には、使用者の施療部位を刺激するための押圧刺激部１６、２０を有しており、前記施療部５の先端部は、鉤爪形状になっていること、又は、前記施療部７の前記アーム１９は、中心部側から外側に向かう方向に放射状に伸びていることを特徴とする。【選択図】図８
2015150076.tif 000002
【特許請求の範囲】
【請求項１】
駆動源を内蔵する本体部と、使用者に対して施療を行う施療部とを有しており、
前記施療部は、アームを有しており、
前記アームの先端部には、使用者の施療部位を刺激するための押圧刺激部を有しており、
前記施療部の先端部は、鉤爪形状になっていることを特徴とするツボ刺激器。
【請求項２】
駆動源を内蔵する本体部と、使用者に対して施療を行う施療部とを有しており、
前記施療部は、アームを有しており、
前記アームの先端部には、使用者の施療部位を刺激するための押圧刺激部を有しており、
前記施療部が有するアームは、中心部側から外側に向かう方向に放射状に伸びていることを特徴とするツボ刺激器。
【請求項３】
前記施療部が有するアームの剛性は、
前記アームの先端部に設けられた押圧刺激部の剛性よりも低くなっていることを特徴とする請求項１または２に記載のツボ刺激器。
【請求項４】
前記施療部は、本体部に対して着脱自在に構成されていることを特徴とする請求項１〜３のいずれか１項に記載のツボ刺激器。
【請求項５】
前記ツボ刺激器は、充電式又は電池式になっていることを特徴とする請求項１〜４のいずれか１項に記載のツボ刺激器。
【請求項６】
前記ツボ刺激器は、強弱切り替え可能な構成となっていることを特徴とする請求項１〜５のいずれか１項に記載のツボ刺激器。
【発明の詳細な説明】
【技術分野】
【０００１】
本発明はツボ刺激器に関する。より詳しくは、施療部位を引っかくような刺激を与えることができるツボ刺激器に関する。
【背景技術】
【０００２】
従来、本体部と往復シャフトの先端部に着脱自在としたつぼ打球が設けられたつぼ打ち器が知られている。このつぼ打ち器は、本体部に電動又は空動により往復運動をする往復シャフトが取付けられており、往復シャフトの先端部には、着脱自在なつぼ打球が取付けられている。（例えば、特許文献１の図１〜図３参照）。
【先行技術文献】
【特許文献】
【０００３】
【特許文献１】特開平２−０１９１５７号公報
【発明の概要】
【発明が解決しようとする課題】
【０００４】
しかし、上記特許文献１のつぼ打ち器は、施療部位を引っかくような刺激を与えることができないという問題がある。また、小型化、軽量化した往復運動機構を組み込んだことを特徴とするものであり、頭部に使用することを目的とするものではないため、頭皮の血行を促進することによる脱毛の抑制や白髪の予防、育毛や発毛の促進を行うことができないという問題がある。
【０００５】
そこで本発明は、上述した問題を解消するためになされたものであり、施療部位を引っかくような刺激を与えることができるツボ刺激器を提供すること、あるいは、頭部に使用した場合に、頭皮の血行を促進することによる脱毛の抑制や白髪の予防、育毛や発毛の促進を行うことができるツボ刺激器を提供することを目的とする。
【課題を解決するための手段】
【０００６】
本発明は、駆動源を内蔵する本体部と、使用者に対して施療を行う施療部とを有しており、前記施療部は、アームを有しており、前記アームの先端部には、使用者の施療部位を刺激するための押圧刺激部を有しており、前記施療部の先端部は、鉤爪形状になっていることを特徴とする。
このような構成とすることにより、施療部位を引っかくような刺激を与えることができる。
【０００７】
また、駆動源を内蔵する本体部と、使用者に対して施療を行う施療部とを有しており、前記施療部は、アームを有しており、前記アームの先端部には、使用者の施療部位を刺激するための押圧刺激部を有しており、前記施療部が有するアームは、中心部側から外側に向かう方向に放射状に伸びていることを特徴とする。
このような構成とすることにより、頭部に使用した場合には、頭皮の血行を促進することができるため、脱毛の抑制や白髪の予防、育毛や発毛の促進を行うことができる。
【０００８】
また、前記施療部が有するアームの剛性は、前記アームの先端部に設けられた押圧刺激部の剛性よりも低くなっていることが好ましい。
このような構成とすることにより、使用者が必要以上の力で押圧した場合であっても、アームにかかる力を逃がすことができるため、施療部位に対して必要以上の力で刺激することを防ぐことができる。
【０００９】
また、前記施療部は、本体部に対して着脱自在に構成されていることが好ましい。
このような構成とすることにより、一つの本体で複数の施療部を取替えて使用することができるため、複数の異なる刺激を簡単に行うことができる。
【００１０】
また、前記ツボ刺激器は、充電式又は電池式になっていることが好ましい。
このような構成とすることにより、使用場所を選ぶ必要がないため、外出時などでもすぐに使うことができる。
【００１１】
また、前記ツボ刺激器は、強弱切り替え可能な構成となっていることが好ましい。
このような構成とすることにより、使用者の押圧力を変えることなく、より強い刺激、より弱い刺激を行うことができるため、使用者の好みにあった強さで刺激することができる。
【発明の効果】
【００１２】
本発明によれば、施療部位を引っかくような刺激を与えることができ、あるいは、頭部に使用した場合に、頭皮の血行を促進することによる脱毛の抑制や白髪の予防、育毛や発毛の促進を行うことができる。
【図面の簡単な説明】
【００１３】
【図１】本発明の一実施形態に係るツボ刺激器の斜視図である。
【図２】ツボ刺激器の平面図である。
【図３】ツボ刺激器の側面図である。
【図４】本体部の底面図である。
【図５】駆動部の拡大図である。
【図６】本発明の一実施形態に係る施療部であり、（ａ）は斜視図であり、（ｂ）は平面図であり、（ｃ）は側面図である。
【図７】本発明の一実施形態に係る他の施療部であり、（ａ）は斜視図であり、（ｂ）は平面図であり、（ｃ）は側面図である。
【図８】本発明の実施形態における使用状態を示す図であり、（ａ）は、腕部に使用した場合の図であり、（ｂ）は、頭部に使用した場合の図である。
【図９】本発明の他の実施形態に係るツボ刺激器の斜視図である。
【図１０】本発明の他の実施形態における使用状態を示す図である。
【発明を実施するための形態】
【００１４】
［全体構成］
以下、本発明の一実施形態に係るツボ刺激器の全体構成について説明する。
なお、以下の説明で用いる方向の概念は、図２に示すツボ刺激器の平面図と一致するものとし、左側が「左」であり、右側が「右」であり、施療部側が「上」であり、本体部側が「下」であり、その他の場合は、適宜説明するものとする。
図１はツボ刺激器の斜視図である。前記ツボ刺激器は、本体部と使用者の施療部を施療する施療部とを有している。
図２は、ツボ刺激器の平面図である。
図３は、ツボ刺激器の側面図である。
【００１５】
図１〜３に示すとおり、本発明のツボ刺激器１は、駆動源２及び駆動機構３を内蔵する本体部４と、使用者に対して施療を行う施療部５と、駆動機構３を駆動させるためのスイッチ６と、により構成されている。
【００１６】
［本体部の構成］
本体部４の構成について、説明する。
図１〜図４に示すとおり、本体部４は、本体底面部から見て楕円形であり、側面から見て湾曲した形状を有し、平面から見て縦長の略長方形となっている。本体部内部には、施療部５を駆動させるための駆動源２及び駆動機構３が設けられており、前記本体部４の先端には、前記施療部５を駆動させるための施療部取付部７が設けられており、本体部上方には、駆動させるためのスイッチ６が取付けられており、前記スイッチの下部には、電源の入／切状態を示すランプ８が設けられている。
【００１７】
［駆動部の構成］
駆動部９の構成について、説明する。
図５に示すとおり、駆動部９は、前記本体部４の内部に設けられており、駆動源としてのモータ２と、駆動機構３とにより構成されている。前記モータ２は、前記駆動機構３へ動力を伝達する動力伝達ギア１０を有しており、前記駆動機構３は、前記モータ２からの回転運動を往復運動に変換する変換機構１１を有している。
【００１８】
前記変換機構１１は、ギア２５と、前記ギア２５に取付けられた偏心カム１２と揺動部材１３とによって構成されており、前記モータ２からの回転動作を、前記ギア２５と前記ギア２５に取付けられた前記偏心カム１２とによって、回転動作の方向を変換し、前記偏心カム１２が回転することによって、前記揺動部材１３が上下に往復運動を行うように構成されている。前記揺動部材１３の先端部には、前記施療部取付部７が設けられている。前記モータ２からの動力は、前記施療部取付部７を介して、前記施療部５に伝達される。
【００１９】
［施療部の構成］
施療部５の構成について、説明する。
図６に示すとおり、施療部５は、ベース部１４と、ベース部１４から伸びるアーム１５と、前記アーム１５の先端部に取付けられた押圧刺激部１６と、により構成されている。
【００２０】
前記ベース部１４は、一端が前記本体部４に取付けられるようになっており、他端には、前記ベース部１４から伸びるアーム１５が取り付けられている。
【００２１】
前記アーム１５は、前記ベース部１４の他端から複数伸びており、側面から見て、前記アーム１５の先端部に向かうに連れて湾曲した鉤爪形状を有しているとともに、平面から見て、前記ベース部１４から前記アーム１５の先端部に向かうに連れて、扇状に広がる形状を有している。
【００２２】
また、前記アーム１５と前記押圧刺激部１６とは、異なる材質で構成されており、前記アーム１５の剛性は前記押圧刺激部１６の剛性よりも低くなっている。なお、前記施療部５は、前記本体部４内に設けられた駆動源２と前記施療部取付部７とが連動することによって、上下に駆動することにより、使用者に対して刺激を与えることができるように構成されている。
【００２３】
［他の施療部の構成］
図７は他の施療部１７を示すものであり、前記他の施療部１７は、ベース部１８と、ベース部１８から伸びるアーム１９と、前記アーム１９の先端部に取付けられた押圧刺激部２０と、により構成されている。
【００２４】
前記ベース部１８は、一端が前記本体部４に取付けられるようになっており、他端には、前記ベース部１８から伸びるアーム１９が取り付けられている。
【００２５】
前記アーム１９は、前記ベース部１８から複数伸びており、底面から見てベース部１８の中心部側から外側に向かう方向に放射状に広がるように伸びた形状を有している。
【００２６】
また、前記アーム１９と前記押圧刺激部２０とは、異なる材質で構成されており、前記アーム１９の剛性は前記押圧刺激部２０の剛性よりも低くなっている。なお、前記施療部１７は、前記本体部４内に設けられた駆動源２と前記施療部取付部７とが連動することによって、上下に駆動することにより、使用者に対して刺激を与えることができるように構成されている。
【００２７】
図８（ａ）は、実施形態における施療部５を取付けたツボ刺激器１を、使用者の腕部に対して使用した状態を示す参考図であり、上下に動かすことより使用者の右腕の曲池、手三里といったツボに対して、押圧刺激部１６によるひっかくような刺激を与えている状態である。
図８（ｂ）は、実施形態における他の施療部１７を取付けたツボ刺激器１を、使用者の頭部に対して使用した状態を示す参考図であり、上下に動かすことにより使用者の頭部の承霊、脳空といったツボに対して、押圧刺激部２０による頭皮の血行を促進するような刺激を与えている状態である。
【００２８】
［他の実施形態］
以下、本発明の他の実施形態に係るツボ刺激器１の構成について説明する。
図９は、本発明の他の実施形態に係るツボ刺激器１の施療部２１を示す図であり、前記施療部２１は、ベース部２２と、ベース部２２から伸びるアーム２３と、前記アーム２３の先端部に取付けられた押圧刺激部２４と、により構成されており、前記アーム２３は、前記ベース部２２から複数伸びており、前記ベース部２２から伸びるアーム２３の長さはそれぞれ異なっている。また、中央に設けられたアーム２３の長さは、他の部分に設けられたアーム２３の長さよりも長くなっている。
【００２９】
このように構成することで、同じ施療部位（例えば、手）の離れた位置にあるツボを同時に刺激することができる。また、前記アーム２３の長さについては、中央に設けられたアーム２３の長さよりも短くてもよく、前記ベース部２２から伸びるアーム２３の本数についても、１本以上あればよい。
【００３０】
また、前記押圧刺激部２４の形状については、使用者に対して引っかくような刺激を与える形状を有していれば良く、前記施療部２４から伸びるアーム２３の本数についても、１本以上あればよい。
【００３１】
図１０は、他の実施形態における施療部２１を取付けたツボ刺激器１を、使用者の手部に対して使用した状態を示す参考図であり、使用者の右手の合谷、腰腿点といったツボに対して、押圧刺激部２４による引っかくような刺激を与えている状態である。
【産業上の利用可能性】
【００３２】
本発明によれば、施療部位を引っかくような刺激を与えることができ、あるいは、頭部に使用した場合に、頭皮の血行を促進することによる脱毛の抑制や白髪の予防、育毛や発毛の促進を行うことができるツボ刺激器に適用することができる。
【符号の説明】
【００３３】
駆動源２
本体部４
施療部５、１７、２１
アーム１５、１９、２３
押圧刺激部１６、２０、２４
【図１】
2015150076.tif 000003
【図２】
2015150076.tif 000004
【図３】
2015150076.tif 000005
【図４】
2015150076.tif 000006
【図５】
2015150076.tif 000007
【図６】
2015150076.tif 000008
【図７】
2015150076.tif 000009
【図８】
2015150076.tif 000010
【図９】
2015150076.tif 000011
【図１０】
2015150076.tif 000012